(57)【要約】【課題】各種電子機器に用いられる検出装置及びこれを用いたリモコン送信器に関し、簡易な構成で消費電力の少ないものを提供することを目的とする。【解決手段】スイッチ部１３が所定時間操作されない場合には、制御部１４が低消費電流状態である休止状態に移行すると共に、休止状態移行後にスイッチ部１３を操作すると、その開閉信号を検出部１６が検出して制御部１４に起動信号を出力し、制御部１４が起動状態に移行するようにして検出装置を構成することによって、簡易な構成で消費電力の少ないものを得ることができる。【選択図】　図１
2004064611.tif 000002
【特許請求の範囲】
【請求項１】
電気的開閉信号を出力するスイッチ部と、このスイッチ部の開閉を検出する検出部と、上記スイッチ部及び検出部に接続され、スイッチ部の開閉に対応した所定の信号を出力する制御部からなり、上記スイッチ部が所定時間操作されない場合に上記制御部が休止状態に移行すると共に、休止状態移行後に上記スイッチ部を操作すると、その開閉信号を上記検出部が検出して上記制御部に起動信号を出力し、上記制御部が起動状態に移行する検出装置。
【請求項２】
検出部をＸＯＲゲートで形成した請求項１記載の検出装置。
【請求項３】
検出部と制御部を一体に形成した請求項１記載の検出装置。
【請求項４】
請求項１記載の検出装置と、この制御部に接続された送信部、及び複数のキーが配列された操作部からなり、上記操作部及びスイッチ部の操作に応じて、上記送信部が機器を遠隔操作するためのリモコン信号を送信するリモコン送信器。
【発明の詳細な説明】
【０００１】
【発明の属する技術分野】
本発明は、テレビやビデオ等の各種電子機器に用いられる検出装置及びこれを用いたリモコン送信器に関するものである。
【０００２】
【従来の技術】
近年、テレビやビデオ等の各種電子機器の機能の多様化に伴い、リモコン送信器を用いてこれらの機器の電源の入／切や音量増減等の遠隔操作を行うほか、双方向通信が可能なデジタル放送対応のテレビ等においては、リモコン送信器によって画面に表示されたカーソル等を操作し、複数のメニューから希望するメニューの選択を行うものが増えている。
【０００３】
また、これらのリモコン送信器は、電源として一般に電池が用いられているため、低消費電力のものが求められている。
【０００４】
このような従来のリモコン送信器について、図３を用いて説明する。
【０００５】
図３は従来のリモコン送信器のブロック回路図であり、同図において、１はプッシュスイッチ上に複数のキーが配列された操作部、２は回転操作によって交互にＯＮ／ＯＦＦ信号を出力するエンコーダ等のスイッチ部である。
【０００６】
また、３は配線基板（図示せず）上にマイコンや各種電子部品によって形成された制御部、４は赤外線発光ダイオード等の送信部で、制御部３には機器を遠隔操作するためのリモコンデータが記憶されると共に、この制御部３に操作部１やスイッチ部２及び送信部４が接続されている。
【０００７】
さらに、５は水晶発振子等の発振子５ＡやＩＣ５Ｂからなる起動部で、この起動部５が制御部３に接続されると共に、これら起動部５や操作部１、スイッチ部２、制御部３、送信部４等が絶縁樹脂製の筐体（図示せず）に収納されてリモコン送信器が構成されている。
【０００８】
以上の構成において、送信部４をテレビ等の電子機器に向け、操作部１の所定のキー、例えば電源用キー１Ａや音量増減用キー１Ｂを押圧操作すると、この操作に対応した制御部３のリモコンデータが、送信部４から赤外線のリモコン信号として電子機器へ送信され、これを電子機器内の受信器（図示せず）が受信して、機器の電源の入／切や音量増減等の遠隔操作が行われる。
【０００９】
また、このような通常の遠隔操作のほか、双方向通信が可能なデジタル放送対応のテレビ等においては、通常のテレビ放送に加え、天気予報や番組案内といった所定の複数のメニューが画面に表示される。
【００１０】
そして、リモコン送信器のスイッチ部２の回転操作によって、画面上のカーソルを移動させて希望するメニューを選択し、確定用キー１Ｃを操作して確定すると、選択したメニューに応じた情報が画面に表示される。
【００１１】
さらに、このようなリモコン送信器は、電源として一般に電池が用いられており、この電池の消耗を抑えるため、操作部１やスイッチ部２が所定の時間、例えば０．２５秒間操作されない場合等には、制御部３は低消費電流状態である休止状態に移行する。
【００１２】
そして、この休止状態ではスイッチ部２を操作しても制御部３は動作しないため、制御部３が休止状態になると、所定時間毎、例えば０．５秒毎に、水晶発振子５Ａからの発振信号に従ってＩＣ５Ｂから制御部３に起動信号を出力し、定期的に制御部３を通常の起動状態に移行させる。
【００１３】
つまり、起動部５によって制御部３を、通常の操作が可能な状態の起動状態と、低消費電流状態である休止状態に所定時間毎に交互に切換えることによって、電池の消耗を抑えるようにしてリモコン送信器が構成されているものであった。
【００１４】
【発明が解決しようとする課題】
しかしながら、上記従来のリモコン送信器においては、スイッチ部２の操作が長時間行われない場合でも、制御部３が所定時間毎に起動状態となるため、不必要な電力が消費されるという課題があった。
【００１５】
本発明は、このような従来の課題を解決するものであり、簡易な構成で消費電力が少なく安価な検出装置及びこれを用いたリモコン送信器を提供することを目的とする。
【００１６】
【課題を解決するための手段】
上記目的を達成するために本発明は、以下の構成を有するものである。
【００１７】
本発明の請求項１に記載の発明は、スイッチ部の開閉を検出する検出部を制御部に接続すると共に、制御部が休止状態時にスイッチ部が操作された場合には、その開閉信号を検出部が検出して制御部に起動信号を出力し、制御部を起動状態に移行させるようにして検出装置を構成したものであり、スイッチ部を操作した時のみ制御部が起動状態となり、スイッチ部を操作しない時には低消費電流状態となっているため、簡易な構成で消費電力の少ない検出装置を得ることができるという作用を有する。
【００１８】
請求項２に記載の発明は、請求項１記載の発明において、検出部をＸＯＲゲートで形成したものであり、水晶発振子とＩＣとの組合せやリレー等を用いて検出部を形成するのに比べ、ＸＯＲゲートのみで検出部を形成できるため、簡易な構成で安価なものにすることができるという作用を有する。
【００１９】
請求項３に記載の発明は、請求項１記載の発明において、検出部と制御部を一体に形成したものであり、構成部品数を減らすことができると共に、検出部と制御部を接続する作業が不要となるため、さらに簡易で安価なものにすることができるという作用を有する。
【００２０】
請求項４に記載の発明は、請求項１記載の検出装置の制御部に送信部、及び複数のキーが配列された操作部を接続すると共に、操作部及びスイッチ部の操作に応じて、送信部が機器を遠隔操作するためのリモコン信号を送信するようにしてリモコン送信器を構成したものであり、簡易な構成で消費電力が少なくなり安価なリモコン送信器を実現することができるという作用を有する。
【００２１】
【発明の実施の形態】
以下、本発明の実施の形態について、図１及び図２を用いて説明する。
【００２２】
（実施の形態１）
図１は本発明の一実施の形態によるリモコン送信器のブロック回路図、図２は同外観斜視図であり、同図において、１１はプッシュスイッチ上に複数のキーが配列された操作部で、絶縁樹脂製の筐体１２の上面から押圧操作可能に突出している。
【００２３】
そして、１３は回転操作によって交互にＯＮ／ＯＦＦ信号を出力するエンコーダ等のスイッチ部で、筐体１２上面に回転操作可能に突出している。
【００２４】
また、１４は筐体１２内に収納された配線基板（図示せず）上にマイコンや各種電子部品によって形成された制御部、１５は赤外線発光ダイオード等の送信部で、制御部１４には機器を遠隔操作するためのリモコンデータが記憶されている。
【００２５】
さらに、１６はＸＯＲゲートからなる検出部で、入力端子１６Ａと１６Ｂに入力された信号を比較し、この信号が異なっている場合に、出力端子１６Ｃから所定の信号を出力するように構成されている。
【００２６】
そして、制御部１４に一端が接続されたスイッチ部１３の他端が、接続点１３Ａによって検出部１６の入力端子１６Ａと、制御部１４の入力ポート１４Ａに接続されている。
【００２７】
また、検出部１６の入力端子１６Ｂは制御部１４の出力ポート１４Ｂに接続され、出力端子１６Ｃは入力ポート１４Ｃに接続されて、検出装置が構成されている。
【００２８】
さらに、この検出装置の制御部１４に、操作部１１や送信部１５が接続されて、リモコン送信器が構成されている。
【００２９】
以上の構成において、送信部１５をテレビ等の電子機器に向け、操作部１１の所定のキー、例えば電源用キー１１Ａや音量増減用キー１１Ｂを押圧操作すると、この操作に対応した制御部１４のリモコンデータが、送信部１５から赤外線のリモコン信号として電子機器へ送信され、これを電子機器内の受信器（図示せず）が受信して、機器の電源の入／切や音量増減等の遠隔操作が行われる。
【００３０】
また、このような通常の遠隔操作のほか、双方向通信が可能なデジタル放送対応のテレビ等においては、通常のテレビ放送に加え、天気予報や番組案内といった所定の複数のメニューが画面に表示される。
【００３１】
そして、リモコン送信器のスイッチ部１３の回転操作によって、画面上のカーソルを移動させて希望するメニューを選択し、操作部１１の確定用キー１１Ｃを押圧操作して確定すると、選択したメニューに応じた情報が画面に表示される。
【００３２】
さらに、このようなリモコン送信器は、電源として一般に電池が用いられており、この電池の消耗を抑えるため、操作部１１やスイッチ部１３が所定の時間、例えば０．２５秒間操作されない場合等には、制御部１４は低消費電流状態である休止状態に移行する。
【００３３】
そして、このような休止状態において操作部１１が操作され、操作部１１から制御部１４へＯＮ信号が入力された場合には、これが起動信号として働き、制御部１４のマイコンが休止状態から操作可能な起動状態に移行するように構成されている。
【００３４】
つまり、このような一般のリモコン送信器は、休止状態であってもＯＮ信号が入力された場合には起動状態に移行する、一方向の信号変化に対してのみ対応可能な比較的安価なマイコンを用いて制御部１５が形成されている。
【００３５】
従って、スイッチ部１３のように交互にＯＮ／ＯＦＦの開閉信号が出力されるものについては、スイッチ部１３がＯＦＦの状態で制御部１５が休止状態となった場合には、スイッチ部１３を回転操作するとＯＮ信号が入力されて制御部１５が起動状態となるが、スイッチ部１３がＯＮの状態で制御部１５が休止状態となった場合には、次に入力される信号はＯＦＦであるため、制御部１５は休止状態のままとなる。
【００３６】
しかし、本発明においては、例えばスイッチ部１３がＯＮの状態で制御部１５が休止状態となった場合、このＯＮ信号が接続点１３Ａを介して制御部１４の入力ポート１４Ａに入力され、ＯＮ信号が出力ポート１４Ｂに記憶されて、検出部１６の入力端子１６Ｂへ出力される。
【００３７】
そして、スイッチ部１３が操作されＯＮ状態からＯＦＦ状態になると、このＯＦＦ信号が接続点１３Ａを介して入力端子１６Ａに入力されるため、検出部１６がこの入力端子１６ＡのＯＦＦ信号と入力端子１６ＢのＯＮ信号を比較し、異なる信号であることを検出して、出力端子１６Ｃから起動信号となるＯＮ信号を入力ポート１４Ｃへ出力する。
【００３８】
これによって、制御部１４が起動状態に移行し、スイッチ部１３の回転操作によってテレビ等の画面上のカーソルを移動させてメニューを選択する等の、通常の操作が可能な状態となる。
【００３９】
なお、スイッチ部１３がＯＦＦ状態で制御部１５が休止状態となった場合には、上記と逆のＯＮ／ＯＦＦの開閉信号によって、同様に検出部１６の出力端子１６Ｃから起動信号が出力され、制御部１４が起動状態に移行する。
【００４０】
このように本実施の形態によれば、スイッチ部１３が所定時間操作されない場合には、制御部１４が低消費電流状態である休止状態に移行すると共に、休止状態移行後にスイッチ部１３を操作すると、その開閉信号を検出部１６が検出して制御部１４に起動信号を出力し、制御部１４が起動状態に移行するようにして検出装置を構成することによって、スイッチ部１３を操作した時のみ制御部１４が起動状態となり、スイッチ部１３を操作しない時には低消費電流状態の休止状態となっているため、簡易な構成で消費電力の少ない検出装置及びこれを用いたリモコン送信器を得ることができるものである。
【００４１】
また、検出部１６をＸＯＲゲートで形成することによって、水晶発振子とＩＣとの組合せやリレー等を用いて検出部を形成するのに比べ、ＸＯＲゲートのみで検出部１６を形成できるため、簡易な構成で安価なものにすることができる。
【００４２】
さらに、以上の説明では、個別の検出部１６を設け、これを制御部１４に接続した構成について説明したが、このような検出部１６の機能を制御部１４のマイコン等に一体に形成することによって、構成部品数を減らすことができると共に、検出部１６と制御部１４を接続する作業が不要となるため、さらに簡易で安価なものにすることができる。
【００４３】
【発明の効果】
以上のように本発明によれば、簡易な構成で消費電力が少なく安価な検出装置、及びこれを用いたリモコン送信器を得ることができるという有利な効果が得られる。
【図面の簡単な説明】
【図１】本発明の一実施の形態によるリモコン送信器のブロック回路図
【図２】同外観斜視図
【図３】従来のリモコン送信器のブロック回路図
【符号の説明】
１１　操作部
１１Ａ　電源用キー
１１Ｂ　音量増減用キー
１１Ｃ　確定用キー
１２　筐体
１３　スイッチ部
１４　制御部
１４Ａ，１４Ｃ　入力ポート
１４Ｂ　出力ポート
１５　送信部
１６　検出部
１６Ａ，１６Ｂ　入力端子
１６Ｃ　出力端子
【図１】
2004064611.tif 000003
【図２】
2004064611.tif 000004
【図３】
2004064611.tif 000005